(57)【要約】【課題】使用者が選択した調理法および／または調理メニューを実行するのに要すると予想される消費電力量を表示することが可能な加熱調理器を提供する。【解決手段】加熱調理器１は操作部１１と表示部１３と調理データベース１５と加熱源データベース１６と制御部１２とを備える。制御部１２は、使用者が操作部１１によって調理法および／または調理メニューを選択したとき、選択された調理法および／または調理メニューに基づいて、調理データベース１５から、用いられる加熱源の各々の駆動時間を抽出し、加熱源データベース１６から、用いられる加熱源の各々の単位時間当たりの消費電力値を抽出し、抽出された加熱源の駆動時間と単位時間当たりの消費電力値とを積算することによって、選択された調理法および／または調理メニューを実行するのに要すると予想される予想消費電力量を演算し、その値を表示部１３に表示させる。【選択図】図１
2009115364.tif 000002
【特許請求の範囲】
【請求項１】
使用者が調理法および／または調理メニューを選択するための操作部と、
調理情報を表示するための表示部と、
前記操作部によって使用者が選択することが可能な複数の調理法および／または調理メニューのそれぞれを実行するために必要とされる複数の加熱源の各々の駆動時間を記憶する調理データ記憶部と、
前記加熱源の各々の単位時間当たりの消費電力値を記憶する加熱源データ記憶部と、
使用者が前記操作部によって調理法および／または調理メニューを選択したとき、選択された調理法および／または調理メニューに基づいて、前記調理データ記憶部から、用いられる加熱源の各々の駆動時間を抽出し、前記加熱源データ記憶部から、用いられる加熱源の各々の単位時間当たりの消費電力値を抽出し、抽出された加熱源の駆動時間と単位時間当たりの消費電力値とを積算することによって、選択された調理法および／または調理メニューを実行するのに要すると予想される予想消費電力量を演算し、かつ、その予想消費電力量の値を前記表示部に表示させる制御部と、
を備えた、加熱調理器。
【請求項２】
前記加熱源の各々の実際の駆動時間を計測するための計時部をさらに備え、
前記操作部は、使用者が選択した調理法および／または調理メニューを実行させるための操作部分を含み、
前記制御部は、使用者が前記操作部によって調理法および／または調理メニューを実行させたとき、実行された調理法および／または調理メニューに基づいて、前記加熱源データ記憶部から、用いられる加熱源の各々の単位時間当たりの消費電力値を抽出し、前記計時部によって計測された加熱源の各々の実際の駆動時間と、抽出された加熱源の各々の単位時間当たりの消費電力値とを積算することによって、調理法および／または調理メニューを実行するのに要する消費電力量を演算し、かつ、その消費電力量の値を前記表示部に表示させる、請求項１に記載の加熱調理器。
【請求項３】
前記操作部は、使用者が選択した調理法および／または調理メニューを実行させるために変更可能な調理条件を設定するための操作部分を含み、
前記調理データ記憶部は、前記調理条件に応じて変化する調理条件変数データを記憶する記憶部分を含み、
前記制御部は、使用者が前記操作部によって選択した調理法および／または調理メニューを実行させるために変更可能な調理条件を設定したとき、選択された調理法および／または調理メニューに基づいて、前記調理データ記憶部から、用いられる加熱源の各々の駆動時間を抽出し、前記加熱源データ記憶部から、用いられる加熱源の各々の単位時間当たりの消費電力値を抽出し、さらに、前記操作部によって設定された調理条件に基づいて、前記調理データ記憶部から、調理条件変数データを抽出し、抽出された加熱源の駆動時間と単位時間当たりの消費電力値と調理条件変数データを用いて、選択された調理法および／または調理メニューを実行するのに要すると予想される予想消費電力量を演算し、かつ、その予想消費電力量の値を前記表示部に表示させる、請求項１に記載の加熱調理器。
【請求項４】
前記加熱源の各々の実際の駆動時間を計測するための計時部をさらに備え、
前記操作部は、使用者が選択した調理法および／または調理メニューを実行させるための操作部分を含み、
前記制御部は、使用者が前記操作部によって調理法および／または調理メニューを実行させたとき、実行された調理法および／または調理メニューに基づいて、前記加熱源データ記憶部から、用いられる加熱源の各々の単位時間当たりの消費電力値を抽出し、前記計時部によって計測された加熱源の各々の実際の駆動時間と、抽出された加熱源の各々の単位時間当たりの消費電力値と調理条件変数データを用いて、調理法および／または調理メニューを実行するのに要する消費電力量を演算し、かつ、その消費電力量の値を前記表示部に表示させる、請求項３に記載の加熱調理器。
【発明の詳細な説明】
【技術分野】
【０００１】
この発明は、一般的には加熱調理器に関し、特定的には消費電力量を表示することが可能な加熱調理器に関するものである。
【背景技術】
【０００２】
近年、省エネルギー意識の高まりにより、加熱調理器を使用した場合の消費電力量に関して使用者からメーカーへの問合せが増加している。また、従来の家庭用加熱調理器、特に複合調理機能を有する加熱調理器では、加熱調理中の出力変動が大きいので、使用者が取扱説明書等に記載の運転時間と定格消費電力から単純に消費電力量を計算した場合、実際の消費電力量に対して過大な計算値となっていた。
【０００３】
また、実際の消費電力量を知りたいという使用者の要求に対応するために、電源コンセントと加熱調理器の電源プラグとの間に接続可能な簡易電力計が市販されている。このような簡易電力計を用いて加熱調理器の実際の消費電力量を測定する場合、簡易電力計のコスト負担とともに、加熱調理器の設置場所によっては、簡易電力計の取り付け取り外しの作業が煩雑となる問題があった。
【０００４】
また、このような簡易電力計で表示可能な消費電力量の値は、その瞬間における消費電力である電力瞬時値である。加熱調理中の消費電力量は、電力瞬時値を経過時間にともなって積算するソフトウェアを使用すれば算出できる。また、その算出された消費電力量から予想電力料金を算出することも可能と考えられる。ただし、そのような簡易電力計は、あくまでも消費電力の実測値を表示するものであって、事前に予想消費電力量を表示するものではない。
【０００５】
一方、加熱調理器、特に電子レンジにおいては、調理メニューごとに、加熱源の運転時間と出力を加熱シーケンスとして記憶されている。使用者が、調理メニューを選択したときは、記憶された加熱シーケンスに従って、所定の出力で所定の運転時間、加熱源を運転し、調理を行う自動調理が採用されている。しかし、加熱シーケンスのデータに基づいて消費電力量の演算を行う機能は従来の電子レンジには備えられていないので、使用者が電子レンジによって所望の調理法または調理メニューを実行したときの電子レンジ単体の消費電力量を事前に知ることはできなかった。
【０００６】
なお、実開平３−８２５９７号公報（特許文献１）には、主に産業用に用いられるマイクロ波加熱装置において、複数のマイクロ波発生機の出力の総和を表示できる電力表示器を設けたものが記載されている。
【特許文献１】実開平３−８２５９７号公報
【発明の開示】
【発明が解決しようとする課題】
【０００７】
加熱調理器は、家庭電気機器の中でも、消費電力が最大に近く、ほぼ毎日使用する程度の使用頻度であるにもかかわらず、複合機能を有する加熱調理器の実際の消費電力量を知ることは困難であった。
【０００８】
一方、家庭用電気機器の中で省エネルギー性能が問題となる空気調和機においては、（社）日本冷凍空調工業会規格（ＪＲＡ４０４６：ルームエアコンディショナの期間消費電力量算出基準）に基づいて、期間消費電力量がカタログ等の販促物や取扱説明書などに表示されているため、使用者が機種ごとに調べて知ることができる。しかしながら、加熱調理器の場合は、空気調和機のように消費電力量算出基準が制定されていないため、使用者は消費電力量の目安となる値を知ることができないものと思われる。
【０００９】
なお、現在、電子レンジ等の加熱調理器のカタログと取扱説明書には、機器としての定格消費電力の値が記載されている。しかし、この定格消費電力の値は、使用時の最大消費電力の値であり、１０００Ｗを越える場合が多い。また、加熱調理器では、実際に加熱調理時間を通じて絶えず一定の電力が消費されるわけではないので、加熱調理に要した消費電力量を簡単に知ることはできない。
【００１０】
加熱調理器の消費電力量を知ることが困難な要因として、加熱調理器の多機能化が挙げられる。マイクロ波を用いた加熱調理専用の単機能電子レンジにおいて、マグネトロンを一定出力で運転して加熱調理を行う場合、消費電力量は、ほぼ、マグネトロンの単位時間当たりの消費電力にマグネトロンの運転時間、すなわち、加熱調理時間を乗じたものとなり、比較的容易に算出可能である。
【００１１】
しかしながら、マイクロ波を用いた加熱調理においても、低出力で加熱調理を行う場合には、マグネトロンが断続的に駆動されるので、消費電力量を算出するためには、単純にマグネトロンの単位時間当たりの消費電力にマグネトロンの運転時間を乗じた計算を行うだけでなく、駆動率を考慮することも必要となる。
【００１２】
一方、加熱調理器の多機能化が普及価格帯の製品にまで波及していることから、マイクロ波を用いた加熱調理だけを行う単機能タイプの電子レンジを購入する場合よりも、グリルヒータを用いた加熱調理やコンベクション調理による電気ヒータを使用した熱風調理などの機能を持った複合調理タイプの電子レンジであるコンベクションオーブンレンジを購入して使用することが多くなっている。このような複合調理タイプの加熱調理器では、多様な加熱方式、多様な加熱調理時間が設定可能であるため、使用者が特定の調理を行うときに、必要な消費電力量を直感的に予想することは、大変困難となっている。
【００１３】
たとえば、ヒータを用いた加熱調理を例に挙げると、オーブン温度１８０℃で加熱調理する場合、ヒータのＯＮ−ＯＦＦ制御により庫内温度が１８０℃を中心に上下に変動するように制御される。この場合、ヒータがＯＦＦの時には消費電力が大きく減少するため、単純にヒータがＯＮの時の単位時間当たりの消費電力を調理時間に乗じて消費電力量を計算すると、実際の消費電力量より、かなり大きく見積もってしまうことになる。
【００１４】
また、複数のヒータを切換えて使用する加熱調理器では、上ヒータのみをＯＮする場合と下ヒータのみをＯＮする場合がある。ヒータ別の消費電力は取扱説明書等には表示されていないので、使用者は直感的に実際の消費電力を予想することが困難である。
【００１５】
したがって、加熱調理時の実際に近い消費電力量を知りたいという使用者の要望に応えるためには、より綿密に消費電力量を表示する方法が必要である。
【００１６】
そこで、この発明の目的は、使用者が選択した調理法および／または調理メニューを実行するのに要すると予想される消費電力量を表示することが可能な加熱調理器を提供することである。
【課題を解決するための手段】
【００１７】
この発明に従った加熱調理器は、操作部と、表示部と、調理データ記憶部と、加熱源データ記憶部と、制御部とを備える。操作部は、使用者が調理法および／または調理メニューを選択するためのものである。表示部は、調理情報を表示するためのものである。調理データ記憶部は、操作部によって使用者が選択することが可能な複数の調理法および／または調理メニューのそれぞれを実行するために必要とされる複数の加熱源の各々の駆動時間を記憶する。加熱源データ記憶部は、加熱源の各々の単位時間当たりの消費電力値を記憶する。制御部は、使用者が操作部によって調理法および／または調理メニューを選択したとき、選択された調理法および／または調理メニューに基づいて、調理データ記憶部から、用いられる加熱源の各々の駆動時間を抽出する。また、制御部は、使用者が操作部によって調理法および／または調理メニューを選択したとき、選択された調理法および／または調理メニューに基づいて、加熱源データ記憶部から、用いられる加熱源の各々の単位時間当たりの消費電力値を抽出する。そして、制御部は、抽出された加熱源の駆動時間と単位時間当たりの消費電力値とを積算することによって、選択された調理法および／または調理メニューを実行するのに要すると予想される予想消費電力量を演算し、かつ、その予想消費電力量の値を表示部に表示させる。
【００１８】
このように構成することにより、使用者は、操作部によって調理法および／または調理メニューを選択したとき、選択された調理法および／または調理メニューを実行するのに要すると予想される予想消費電力量が表示部に表示されるので、予想消費電力量を調理の実行前に知ることができる。
【００１９】
この発明の加熱調理器は、加熱源の各々の実際の駆動時間を計測するための計時部をさらに備え、操作部は、使用者が選択した調理法および／または調理メニューを実行させるための操作部分を含むことが好ましい。この場合、制御部は、使用者が操作部によって調理法および／または調理メニューを実行させたとき、実行された調理法および／または調理メニューに基づいて、加熱源データ記憶部から、用いられる加熱源の各々の単位時間当たりの消費電力値を抽出する。そして、制御部は、計時部によって計測された加熱源の各々の実際の駆動時間と、抽出された加熱源の各々の単位時間当たりの消費電力値とを積算することによって、調理法および／または調理メニューを実行するのに要する消費電力量を演算し、かつ、その消費電力量の値を表示部に表示させる。
【００２０】
このように構成することにより、使用者は、操作部によって調理法および／または調理メニューを実行させたとき、調理法および／または調理メニューを実行するのに要する実際の消費電力量が表示部に表示されるので、実際の消費電力量を調理の実行中または実行後に知ることができる。
【００２１】
また、この発明の加熱調理器においては、操作部は、使用者が選択した調理法および／または調理メニューを実行させるために変更可能な調理条件を設定するための操作部分を含み、調理データ記憶部は、調理条件に応じて変化する調理条件変数データを記憶する記憶部分を含むことが好ましい。この場合、制御部は、使用者が操作部によって選択した調理法および／または調理メニューを実行させるために変更可能な調理条件を設定したとき、選択された調理法および／または調理メニューに基づいて、調理データ記憶部から、用いられる加熱源の各々の駆動時間を抽出し、加熱源データ記憶部から、用いられる加熱源の各々の単位時間当たりの消費電力値を抽出し、さらに、操作部によって設定された調理条件に基づいて、調理データ記憶部から、調理条件変数データを抽出する。そして、抽出された加熱源の駆動時間と単位時間当たりの消費電力値と調理条件変数データを用いて、選択された調理法および／または調理メニューを実行するのに要すると予想される予想消費電力量を演算し、かつ、その予想消費電力量の値を表示部に表示させる。
【００２２】
このように構成することにより、使用者が操作部によって選択した調理法および／または調理メニューを実行させるために変更可能な調理条件を設定したとき、選択された調理法および／または調理メニューを実行するのに要すると予想される予想消費電力量が表示部に表示されるので、予想消費電力量を調理の実行前に知ることができる。
【００２３】
上記のように構成された加熱調理器は、加熱源の各々の実際の駆動時間を計測するための計時部をさらに備え、操作部は、使用者が選択した調理法および／または調理メニューを実行させるための操作部分を含むことが好ましい。この場合、制御部は、使用者が操作部によって調理法および／または調理メニューを実行させたとき、実行された調理法および／または調理メニューに基づいて、加熱源データ記憶部から、用いられる加熱源の各々の単位時間当たりの消費電力値を抽出する。そして、制御部は、計時部によって計測された加熱源の各々の実際の駆動時間と、抽出された加熱源の各々の単位時間当たりの消費電力値と調理条件変数データを用いて、調理法および／または調理メニューを実行するのに要する消費電力量を演算し、かつ、その消費電力量の値を表示部に表示させる。
【００２４】
このように構成することにより、使用者は、操作部によって選択した調理法および／または調理メニューを実行させるために変更可能な調理条件を設定して、操作部によって調理法および／または調理メニューを実行させたとき、調理法および／または調理メニューを実行するのに要する実際の消費電力量が表示部に表示されるので、実際の消費電力量を調理の実行中または実行後に知ることができる。
【発明の効果】
【００２５】
以上のようにこの発明によれば、予想消費電力量を調理の実行前に知ることができるので、省エネルギーの観点から、調理法および／または調理メニューを選択・実行するための判断材料を得ることができる。
【発明を実施するための最良の形態】
【００２６】
以下、この発明の一つの実施の形態を図面に基づいて説明する。
【００２７】
図１は、この発明の一つの実施の形態としての加熱調理器の概略的な構成を示すブロック図である。
【００２８】
図１に示すように、加熱調理器１は、操作部１１と、制御部（演算部）１２と、表示部１３と、加熱源駆動部１４と、調理データ記憶部としての調理データベース１５と、加熱源データ記憶部としての加熱源データベース１６と、重量検知部１７と、計時部１８とを備える。
【００２９】
操作部１１は、使用者がオーブン、グリルなどの調理法、および／または、ハンバーグ、グラタンなどの調理メニューを選択するためのものである。また、操作部１１は、使用者が選択した調理法および／または調理メニューを実行させるための操作部分と、使用者が選択した調理法および／または調理メニューを実行させるために変更可能な調理条件、たとえば、マイクロ波の強弱、オーブンの温度などを設定するための操作部分を含む。表示部１３は、調理の進行状況、消費電力量などを表示するためのものである。加熱源駆動部１４は、マイクロ波発生装置、上ヒータ、下ヒータ、過熱水蒸気発生装置などである。
【００３０】
図２は、調理データベースの概略的な構成の一例を模式的に示す図である。
【００３１】
図２に示すように、調理データ記憶部としての調理データベース１５は、操作部１１によって使用者が選択することが可能な複数の調理法および／または調理メニューのそれぞれを実行するために必要とされる、複数の加熱源の各々の駆動時間を記憶する、たとえば、マイクロ波発生装置、上ヒータ、下ヒータ、過熱水蒸気発生装置などの加熱源の各々の駆動時間を記憶する。また、調理データベース１５は、使用者が選択した調理法および／または調理メニューを実行させるために変更可能な調理条件、たとえば、マイクロ波の強弱、オーブンの温度などに応じて変化する調理条件変数データを記憶する。
【００３２】
図３は、加熱源データベースの概略的な構成の一例を模式的に示す図である。
【００３３】
図３に示すように、加熱源データ記憶部としての加熱源データベース１６は、加熱源、たとえば、マイクロ波発生装置、上ヒータ、下ヒータ、過熱水蒸気発生装置などの加熱源の各々の単位時間当たりの消費電力値を記憶する。また、加熱源データベース１６は、加熱源がＯＦＦの時の消費電力値（冷却ファンモータ、オーブンランプなどの消費電力）、待機時の消費電力値などを記憶する。
【００３４】
なお、図１に示される重量検知部１７は、たとえば、重量センサーであり、被加熱調理対象物の重量を検知する。計時部１８は、加熱源の各々の実際の駆動時間を計測する。
【００３５】
以上のように構成された加熱調理器１において、たとえば、冷凍食品の解凍加熱、ハンバーグ、グラタンなどの自動調理メニューが選択された場合の制御部（演算部）１２の動作について説明する。
【００３６】
まず、使用者が操作部１１によって所望の自動調理メニューを選択する。そうすると、制御部１２は、選択された調理メニューに基づいて、調理データベース１５から、所定の加熱シーケンスに従って用いられる、一つの加熱源の駆動時間、または、複数の加熱源の各々の駆動時間を抽出する。また、制御部１２は、加熱源データベース１６から、用いられる、一つの加熱源の単位時間当たりの消費電力値、または、複数の加熱源の各々の単位時間当たりの消費電力値を抽出する。そして、制御部１２は、抽出された加熱源の駆動時間と単位時間当たりの消費電力値とを積算することによって、選択された調理メニューを実行するのに要すると予想される予想消費電力量を演算し、かつ、その予想消費電力量の値を表示部１３に表示させる。
【００３７】
このように構成することにより、使用者は、操作部１１によって調理法および／または調理メニューを選択したとき、選択された調理法および／または調理メニューを実行するのに要すると予想される予想消費電力量が表示部１３に表示されるので、たとえば、自動調理メニューを選択した場合に予想消費電力量を調理の実行前に知ることができる。
【００３８】
具体的な予想消費電力量の算出手順について、冷凍食品の解凍加熱を一例にして以下に説明する。
【００３９】
図４は、調理メニューとして冷凍食品の解凍加熱を実行する場合の加熱シーケンスの一例を示す図である。
【００４０】
図４に示すように、冷凍食品の解凍加熱を実行する場合の加熱シーケンスは、段階１から段階４までの４段階で構成されている。
【００４１】
図１と図４の（Ａ）に示すように、最初の段階１では、解凍すべき冷凍食品の重量を重量検知部１７としての、たとえば、重量センサーによって測定する。この測定重量に基づいて、制御部１２は総加熱時間ｔを算出する。たとえば、組み込まれた自動調理プログラムでは、測定重量が２００ｇのときは、所定の計算式により、７５０秒が総加熱時間ｔとして算出される。
【００４２】
さらに、この総加熱時間ｔを、実際に解凍加熱を行うために段階２〜４に割り当てる。具体的には、総加熱時間ｔを、段階２に（３/１０）ｔ、段階３に（５/１０）ｔ、段階４に（２/１０）ｔ、それぞれ割り当てる。この冷凍食品の解凍の例では、総加熱時間を７５０秒としたので、各段階の加熱時間は、段階２が２２５秒、段階３が３７５秒、段階４が１５０秒となる。以上のようにして、段階１で、後続の段階２〜４の加熱時間が決定される。
【００４３】
図４の（Ｂ）に示すように、冷凍食品の解凍加熱の段階２では、加熱源としてのマイクロ波発生装置による加熱のみを行う。マイクロ波発生装置のＯＮ時間５秒、ＯＦＦ時間１０秒の繰り返しの加熱シーケンスが２２５秒間行われることにより、冷凍食品が間欠的に加熱される。
【００４４】
次に、図４の（Ｃ）に示すように、冷凍食品の解凍加熱の段階３では、加熱源としてマイクロ波発生装置と上ヒータが併用される。マイクロ波発生装置による加熱では、マイクロ波発生装置のＯＮ時間４秒、マイクロ波発生装置のＯＦＦ時間１１秒の繰り返しの加熱シーケンスが行われる。また、上ヒータによる加熱では、上ヒータのＯＮ時間４秒、上ヒータのＯＦＦ時間１１秒の繰り返しの加熱シーケンスが行われる。
【００４５】
このとき、マイクロ波発生装置と上ヒータが同時に駆動されると、電源容量を超えた大電力が必要となるので、マイクロ波発生装置の駆動時期と上ヒータの駆動時期は、重複しないように設定されている。すなわち、図４の（Ｃ）に示すように、マイクロ波発生装置のＯＮ時間４秒の後、マイクロ波発生装置のＯＦＦ時間１１秒の期間を利用して、上ヒータのＯＮ時間４秒を割り当て、上ヒータのＯＮ時間４秒の後、上ヒータのＯＦＦ時間１１秒の期間を利用して、マイクロ波発生装置のＯＮ時間４秒を割り当てるという加熱シーケンスが行なわれる。段階３では、以上の繰り返しの加熱シーケンスが３７５秒間行われることにより、冷凍食品が間欠的に加熱される。
【００４６】
最後に、図４の（Ｄ）に示すように、冷凍食品の解凍加熱の段階４では、加熱源としてマイクロ波発生装置と下ヒータが併用される。マイクロ波発生装置による加熱では、マイクロ波発生装置のＯＮ時間３秒、マイクロ波発生装置のＯＦＦ時間１２秒の繰り返しの加熱シーケンスが行われる。また、下ヒータによる加熱では、下ヒータのＯＮ時間３秒、下ヒータのＯＦＦ時間１２秒の繰り返しの加熱シーケンスが行われる。
【００４７】
このとき、段階４でも、段階３と同様に、マイクロ波発生装置の駆動時期と下ヒータの駆動時期は、重複しないように設定されている。すなわち、図４の（Ｄ）に示すように、マイクロ波発生装置のＯＮ時間３秒の後、マイクロ波発生装置のＯＦＦ時間１２秒の期間を利用して、下ヒータのＯＮ時間３秒を割り当て、下ヒータのＯＮ時間３秒の後、下ヒータのＯＦＦ時間１２秒の期間を利用して、マイクロ波発生装置のＯＮ時間３秒を割り当てるという加熱シーケンスが行なわれる。段階４では、以上の繰り返しの加熱シーケンスが１５０秒間行われることにより、冷凍食品が間欠的に加熱される。
【００４８】
以上のように構成される加熱シーケンスに基づいた各加熱源の駆動時間が、図２に示されるような調理データベース１５では、調理法・調理メニューの一例である「冷凍食品の解凍」に記憶されている。また、各加熱源の単位時間当たりの消費電力値が、図３に示されるような加熱源データベース１６に記憶されている。
【００４９】
以下、消費電力量の算出例を示す。
【００５０】
段階２では、マイクロ波発生装置のＯＮ時間である５秒間は、図３に示されるように、１０００Ｗの消費電力が発生し、マイクロ波発生装置のＯＦＦ時間である１０秒間は、６０Ｗの消費電力(冷却ファンモータ、オーブンランプ等の消費電力）が発生する。
【００５１】
間欠加熱を２２５秒間繰り返すと、マイクロ波発生装置のＯＮ時間は６０秒、マイクロ波発生装置のＯＦＦ時間は１６５秒となるので、段階２の消費電力量は次のように算出される。
【００５２】
１０００×６０／３６００＋６０×１６５／３６００≒１９．４２（Ｗｈ）
段階３では、本段階の加熱単位となる１５秒間において、マイクロ波発生装置のＯＮ時間である４秒間は、図３に示されるように、１０００Ｗの消費電力が発生し、上ヒータのＯＮ時間である４秒間は、５００Ｗの消費電力が発生する。両方の加熱源がＯＦＦである７秒間は、６０Ｗの消費電力(冷却ファンモータ、オーブンランプ等の消費電力）が発生する。
【００５３】
間欠加熱を３７５秒間繰り返すと、２５回の加熱単位を繰り返すことになり、マイクロ波発生装置のＯＮ時間は１００秒、上ヒータのＯＮ時間は１００秒、両方の加熱源のＯＦＦ時間は１７５秒となるので、段階３の消費電力量は次のように計算される。
【００５４】
（１０００×１００＋５００×１００＋６０×１７５）／３６００≒４４．５９（Ｗｈ）
段階４では、本段階の加熱単位となる１５秒間において、マイクロ波発生装置のＯＮ時間である３秒間は、図３に示されるように、１０００Ｗの消費電力が発生し、下ヒータのＯＮ時間である３秒間は、７５０Ｗの消費電力が発生する。両方の加熱源がＯＦＦである９秒間は、６０Ｗの消費電力(冷却ファンモータ、オーブンランプ等の消費電力）が発生する。
【００５５】
間欠加熱を１５０秒間繰り返すと、１０回の加熱単位を繰り返すことになり、マイクロ波発生装置のＯＮ時間は３０秒、上ヒータのＯＮ時間は３０秒、両方の加熱源のＯＦＦ時間は９０秒となるので、段階４の消費電力量は次のように計算される。
【００５６】
（１０００×３０＋５００×３０＋６０×９０）／３６００≒１６．０８（Ｗｈ）
以上の各段階の計算から、この実施例の解凍処理の予想消費電力量は、ほぼ
１９．４２＋４４．５９＋１６．０８＝８０．０９（Ｗｈ）
と予想することができる。
【００５７】
以上の実施例では、使用者は、実際に加熱調理を行うことなく、約１２分３０秒の加熱時間と約８０Ｗｈの消費電力量によって、２００グラムの冷凍食品の解凍を行うことを知ることができる。
【００５８】
もし、加熱調理器を使用せずに自然解凍を行えば、解凍所要時間は、約１２分３０秒の加熱時間と比較してかなり長くなるが、消費電力は発生しない。本発明によれば、加熱調理器を使用した場合、消費電力量が約８０Ｗｈであることを調理の実行前に知ることができるので、使用者は、利便性と約８０Ｗｈの省エネルギーの比較により、自然解凍、または、加熱調理器による解凍のいずれの解凍手順を採用するかを決定することができる。
【００５９】
また、以上の加熱シーケンスによる解凍の所要時間を短縮する目的で、マイクロ波発生装置と上ヒータおよび下ヒータの全体のＯＮ時間のＯＦＦ時間に対する比率を高めることにより、より多くの熱量を冷凍食品に与える高速加熱シーケンスによる解凍が知られている。しかし、加熱時間を短縮する代償として、加熱効率が低下し、消費電力量が増大する結果となる。この場合も、使用者は、実際に加熱調理を行うことなく、所要時間と消費電力量を知ることができるので、自然解凍、通常の加熱シーケンスによる解凍、または、高速加熱シーケンスによる解凍のいずれの解凍手順を採用するかを具体的なデータに基づいて判断することができる。
【００６０】
このように、従来は、解凍された食品の解凍手順による食感の違いが、自然解凍、通常解凍、または、高速解凍のいずれを選択するかの判断要因となっていたが、本実施例によれば、解凍加熱に要する所要時間と省エネルギーの両面から、いずれの解凍手順を採用するかを決定することができる。
【００６１】
次に、図１〜図３に示される加熱調理器１において、たとえば、冷凍食品の解凍加熱、ハンバーグ、グラタンなどの自動調理メニューを実行した場合の制御部（演算部）１２の動作について説明する。
【００６２】
図１に示すように、まず、使用者が操作部１１によって所望の自動調理メニューを選択して実行させる。そうすると、制御部１２は、実行された調理メニューに基づいて、加熱源データベース１６から、用いられる、一つの加熱源の単位時間当たりの消費電力値、または、複数の加熱源の各々の単位時間当たりの消費電力値を抽出する。そして、制御部１２は、計時部１８によって計測された加熱源の各々の実際の駆動時間と、抽出された加熱源の各々の単位時間当たりの消費電力値とを積算することによって、調理メニューを実行するのに要する実際の消費電力量を演算し、かつ、その消費電力量の値を表示部１３に表示させる。
【００６３】
このように構成することにより、使用者は、操作部１１によって調理法および／または調理メニューを実行させたとき、調理法および／または調理メニューを実行するのに要する実際の消費電力量が表示部１３に表示されるので、たとえば、自動調理メニューを実行した場合に実際の消費電力量を調理の実行中または実行後に知ることができる。
【００６４】
次に、図１〜図３に示される加熱調理器１において、たとえば、オーブン、グリルなどの調理法を用いる手動調理を選択した場合の制御部（演算部）１２の動作について説明する。
【００６５】
まず、使用者が操作部１１によって所望の調理法を選択するとともに、所望の調理法を実行させるための調理条件、たとえば、マイクロ波の強弱、オーブンの温度などを設定する。そうすると、制御部１２は、選択された調理法に基づいて、調理データベース１５から、所定の加熱シーケンスに従って用いられる、一つの加熱源の駆動時間、または、複数の加熱源の各々の駆動時間を抽出する。また、制御部１２は、加熱源データベース１６から、用いられる、一つの加熱源の単位時間当たりの消費電力値、または、複数の加熱源の各々の単位時間当たりの消費電力値を抽出する。さらに、制御部１２は、調理データベース１５から、操作部１１によって設定された調理条件に基づいて、たとえば、マイクロ波の強弱、オーブンの温度などに応じて変化する調理条件変数データを抽出する。そして、制御部１２は、抽出された加熱源の駆動時間と単位時間当たりの消費電力値と調理条件変数データを用いることによって、選択された調理法を実行するのに要すると予想される予想消費電力量を演算し、かつ、その予想消費電力量の値を表示部１３に表示させる。
【００６６】
このように構成することにより、使用者は、操作部１１によって調理法および／または調理メニューを選択したとき、選択された調理法および／または調理メニューを実行するのに要すると予想される予想消費電力量が表示部１３に表示されるので、たとえば、手動調理を選択した場合にも予想消費電力量を調理の実行前に知ることができる。
【００６７】
次に、図１〜図３に示される加熱調理器１において、たとえば、オーブン、グリルなどの調理法を用いる手動調理を実行した場合の制御部（演算部）１２の動作について説明する。
【００６８】
まず、使用者が操作部１１によって所望の調理法を選択するとともに、所望の調理法を実行させるための調理条件、たとえば、マイクロ波の強弱、オーブンの温度などを設定して、実行させる。そうすると、制御部１２は、選択された調理法に基づいて、加熱源データベース１６から、用いられる、一つの加熱源の単位時間当たりの消費電力値、または、複数の加熱源の各々の単位時間当たりの消費電力値を抽出する。そして、制御部１２は、計時部１８によって計測された加熱源の各々の実際の駆動時間と、抽出された加熱源の単位時間当たりの消費電力値と調理条件変数データを用いることによって、選択された調理法を実行するのに要する実際の消費電力量を演算し、かつ、その消費電力量の値を表示部１３に表示させる。
【００６９】
このように構成することにより、使用者は、操作部１１によって選択した調理法および／または調理メニューを実行させるために変更可能な調理条件を設定して、操作部１１によって調理法および／または調理メニューを実行させたとき、調理法および／または調理メニューを実行するのに要する実際の消費電力量が表示部１３に表示されるので、たとえば、手動調理を実行した場合にも実際の消費電力量を調理の実行中または実行後に知ることができる。
【００７０】
具体的な実際の消費電力量の算出手順について、所定の加熱シーケンス以外の手動加熱調理の操作時を一例にして以下に説明する。
【００７１】
図５は、手動加熱調理の操作時における具体的な実際の消費電力量の算出手順の一例を示すフローチャートである。
【００７２】
図１と図５に示すように、ステップＳ１にて、操作部１１により加熱調理を開始する。
【００７３】
ステップＳ２にて、制御部１２は、所望の選択された手動加熱調理の調理法がマイクロ波発生装置による加熱を必要とするのかどうかを判定する。マイクロ波発生装置を用いた加熱調理が行われる場合、ステップＳ３にて制御部１２から加熱源駆動部１４に制御信号が出力され、マイクロ波発生装置がＯＮにされ、ステップＳ４にてマイクロ波発生装置がＯＮ状態になる。そして、ステップＳ１３において、マイクロ波発生装置による消費電力量が駆動時間の経過にともなって積算によって算出される。たとえば、マイクロ波発生装置の単位時間当たりの消費電力が１０００Ｗとすると、１０００Ｗ×駆動時間で消費電力量が算出される。マイクロ波発生装置がＯＦＦにされる場合はステップＳ５に移行する。
【００７４】
ステップＳ２にて、制御部１２は、所望の選択された手動加熱調理の調理法がヒータによる加熱を必要とするのかどうかを判定する。ヒータによる加熱を必要とする場合、ステップＳ７にて、制御部１２は、上ヒータと下ヒータの両方を駆動するのかどうかを判定する。上ヒータと下ヒータの両方を駆動しない場合には、ステップＳ８にて、上ヒータのみを駆動するのかどうかを判定する。
【００７５】
下ヒータを用いた加熱調理が行われる場合、ステップＳ９にて制御部１２から加熱源駆動部１４に制御信号が出力され、下ヒータがＯＮにされ、下ヒータがＯＮ状態になる。そして、ステップＳ１３において、下ヒータによる消費電力量が駆動時間の経過にともなって積算によって算出される。たとえば、下ヒータの単位時間当たりの消費電力が７５０Ｗとすると、７５０Ｗ×駆動時間で消費電力量が算出される。
【００７６】
上ヒータを用いた加熱調理が行われる場合、ステップＳ１０にて制御部１２から加熱源駆動部１４に制御信号が出力され、上ヒータがＯＮにされ、上ヒータがＯＮ状態になる。そして、ステップＳ１３において、上ヒータによる消費電力量が駆動時間の経過にともなって積算によって算出される。たとえば、上ヒータの単位時間当たりの消費電力が５００Ｗとすると、５００Ｗ×駆動時間で消費電力量が算出される。
【００７７】
そして、上ヒータと下ヒータを用いた加熱調理が行われる場合、ステップＳ１１にて制御部１２から加熱源駆動部１４に制御信号が出力され、上ヒータと下ヒータがＯＮにされ、上ヒータと下ヒータがＯＮ状態になる。そして、ステップＳ１３において、上ヒータと下ヒータによる消費電力量が駆動時間の経過にともなって積算によって算出される。たとえば、上ヒータの単位時間当たりの消費電力が５００Ｗ、下ヒータの単位時間当たりの消費電力が７５０Ｗとすると、（５００Ｗ＋７５０Ｗ）×駆動時間で消費電力量が算出される。
【００７８】
なお、ヒータがＯＦＦにされる場合はステップＳ１２に移行する。そして、ステップＳ１３において、ヒータがＯＦＦにされる場合は、単位時間当たり６０Ｗの消費電力(冷却ファンモータ、オーブンランプ等の消費電力）が発生するので、消費電力量が駆動時間の経過にともなって積算によって算出される。
【００７９】
以上のようにして算出された消費電力量は、時間の経過に伴って順次加算され、ステップＳ１４にて、加熱調理の実行中に表示部１３に表示される。
【００８０】
ステップＳ１５にて加熱調理が終了すると、ステップＳ１６にて加熱源の駆動が停止する。
【００８１】
なお、待機中（コントロールパネルのみＯＮ時）の消費電力量（０．５Ｗに待機時間を積算したもの）や加熱調理中の消費電力量を順次加算した値をフラッシュメモリーなどの不揮発性記憶媒体に記憶するように構成すれば、１日の消費電力量や１ヶ月単位の消費電力量、１年単位の消費電力量、あるいは、使用者の購入時以来の積算消費電力量を表示することが可能となるので、省エネルギーの観点からより好ましい。
【００８２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００８３】
【図１】この発明の一つの実施の形態としての加熱調理器の概略的な構成を示すブロック図である。
【図２】調理データベースの概略的な構成の一例を模式的に示す図である。
【図３】加熱源データベースの概略的な構成の一例を模式的に示す図である。
【図４】調理メニューとして冷凍食品の解凍加熱を実行する場合の加熱シーケンスの一例を示す図である。
【図５】手動加熱調理の操作時における具体的な実際の消費電力量の算出手順の一例を示すフローチャートである。
【符号の説明】
【００８４】
１：加熱調理器、１１：操作部、１２：制御部、１３：表示部、１４：加熱源駆動部、１５：調理データベース、１６：加熱源データベース、１８：計時部。
【図１】
2009115364.tif 000003
【図２】
2009115364.tif 000004
【図３】
2009115364.tif 000005
【図４】
2009115364.tif 000006
【図５】
2009115364.tif 000007